(57)【特許請求の範囲】
【請求項１】
表示面と反対側にのみ導電性の非表示面を有し、光源として１または複数の蛍光管が設けられ、前記蛍光管へ電力を供給するための蛍光管ケーブルを備え、画像データに基づく液晶駆動と前記蛍光管からの発光とを制御して画像表示を行う液晶ディスプレイパネルに対して、シールド部材を用いることなく、前記蛍光管ケーブルから発生する漏洩電界を防止する非導電性のシートであって、前記蛍光管ケーブルを前記液晶ディスプレイパネルの前記非表示面に接触させる接触部を備えることを特徴とする漏洩電界防止シート。
【請求項２】
前記接触部は、前記蛍光管ケーブルを挟み込む切欠き部であることを特徴とする請求項１記載の漏洩電界防止シート。
【請求項３】
１または複数の蛍光管を有する液晶ディスプレイパネルと、前記蛍光管へ電力を供給するための蛍光管ケーブルと、請求項１または２記載の漏洩電界防止シートと、前記蛍光管ケーブルに接続されるインバータプリント板とを備えることを特徴とする液晶ディスプレイユニット。
【請求項４】
液晶駆動による画像表示を行う液晶ディスプレイ装置において、請求項３記載の液晶ディスプレイユニットを備えることを特徴とする液晶ディスプレイ装置。
【発明の詳細な説明】
【０００１】
【発明の属する技術分野】
本発明は、液晶ディスプレイ装置の蛍光管ケーブルから発生する低周波の漏洩電界を防止するシート、並びに、そのシートを備える液晶ディスプレイユニット及び液晶ディスプレイ装置に関する。
【０００２】
【従来の技術】
画像データに基づく液晶駆動と蛍光管からの発光とを制御して画像表示を行う液晶ディスプレイ装置にあっては、蛍光管へ高電圧を印加するために、入力される低電圧をインバータにて高電圧に変換し、蛍光管ケーブルを介してその変換した高電圧を蛍光管に供給している。このような液晶ディスプレイ装置では、高電圧の経路である蛍光管ケーブルから、低周波の漏洩電界が発生する。この漏洩電界はノイズ成分であって安定した表示状態の実現を妨げる原因となり得る。従って、このような漏洩電界を防止する対策を講じる必要がある。
【０００３】
図４及び図５は、漏洩電界の防止対策を施した従来の液晶ディスプレイユニットの分解斜視図及び側面図である。この液晶ディスプレイユニットは、液晶ディスプレイパネル２１，板金シールド材２２，インバータプリント板２３及び外被シールド材２４をこの順に重畳させた構成をなしている。
【０００４】
液晶ディスプレイパネル２１は、表示面側（表面側）のガラス板と非表示面側（裏面側）及び側面側のプラスチック板とを有する偏平筐体状をなしている。液晶ディスプレイパネル２１内の上下縁部には蛍光管が夫々設置されている。各蛍光管へ高電圧を夫々供給するための複数の細線からなる２束の蛍光管ケーブル２５が、蛍光管に接続されており、各蛍光管ケーブル２５は液晶ディスプレイパネル２１の非表示面側（裏面側）に延在している。また、液晶ディスプレイパネル２１の四隅には取り付け用のネジ穴２１ａが形成されている。
【０００５】
板金シールド材２２は、金属製の蓋無し偏平筐体状をなしており、液晶ディスプレイパネル２１の非表示面（裏面）を被うように配置される。板金シールド材２２には、各蛍光管ケーブル２５をインバータプリント板２３側へ引き出すための２個の切り孔２２ａと、２箇所のネジ穴２２ｂとが形成されている。インバータプリント板２３には、入力される直流電圧を交流電圧に変換するためのインバータ回路がプリントされている。インバータプリント板２３には、各蛍光管ケーブル２５が夫々接続される高電圧出力部としての２個の接続部２３ａが設けられている。更に、インバータプリント板２３には、ネジ穴２２ｂに対応する２箇所のネジ穴２３ｂが形成されている。外被シールド材２４は、金属製の蓋無し偏平筐体状をなしており、板金シールド材２２の裏面を被うように配置される。外被シールド材２４には、ネジ穴２２ｂ及びネジ穴２３ｂに対応する２箇所のネジ穴２４ａが形成されている。
【０００６】
従来の液晶ディスプレイユニットは、次のようにして一体化される。蛍光管ケーブル２５を板金シールド材２２の切り孔２２ａからインバータプリント板２３側へ引き出した態様で、板金シールド材２２を液晶ディスプレイパネル２１の非表示面（裏面）に被せ、ネジ穴２１ａにネジ２６を挿入して、ネジ２６を板金シールド材２２にねじ込むことによって板金シールド材２２を液晶ディスプレイパネル２１に取り付け固定する。切り孔２２ａから引き出された蛍光管ケーブル２５の先端（コネクタ）をインバータプリント板２３の接続部２３ａに接続する。また、インバータプリント板２３を介在させた態様で、外被シールド材２４を板金シールド材２２に被せ、ネジ穴２４ａ，ネジ穴２３ｂ及びネジ穴２２ｂにネジ２７を挿入し、ねじ留めによってインバータプリント板２３及び外被シールド材２４を板金シールド材２２に取り付け固定する。なお、板金シールド材２２とインバータプリント板２３との間に、保護用の絶縁性シートを介装させても良い。
【０００７】
このような従来の液晶ディスプレイユニットにあっては、液晶ディスプレイパネル２１の非表示面側（裏面側）に延在する蛍光管ケーブル２５を板金シールド材２２にて被う構成とすると共に、切り孔２２ａから引き出された蛍光管ケーブル２５を外被シールド材２４にて被う構成としており、この板金シールド材２２及び外被シールド材２４の存在により、蛍光管ケーブル２５から発生する低周波の漏洩電界を防止している。
【０００８】
【発明が解決しようとする課題】
従来の液晶ディスプレイユニットでは、蛍光管ケーブルからの漏洩電界を防止するために、板金シールド材，外被シールド材などを設けているため、その全体の厚さが厚くなってしまうという問題がある。また、このようなシールド材が必要であるので、高コストであるという問題もある。
【０００９】
本発明は斯かる事情に鑑みてなされたものであり、従来のようなシールド部材を設けなくても蛍光管ケーブルからの漏洩電界を防止することができ、液晶ディスプレイユニット及び液晶ディスプレイ装置の厚さを大幅に低減できる漏洩電界防止シート、並びに、そのシートを備える液晶ディスプレイユニット及び液晶ディスプレイ装置を提供することを目的とする。
【００１０】
本発明の他の目的は、従来のようなシールド部材を設けなくても良いため、液晶ディスプレイユニット及び液晶ディスプレイ装置のコストの低減化を図れる漏洩電界防止シート、並びに、そのシートを備える液晶ディスプレイユニット及び液晶ディスプレイ装置を提供することにある。
【００１１】
【課題を解決するための手段】
第１発明の漏洩電界防止シートは、表示面と反対側にのみ導電性の非表示面を有し、光源として１または複数の蛍光管が設けられ、前記蛍光管へ電力を供給するための蛍光管ケーブルを備え、画像データに基づく液晶駆動と前記蛍光管からの発光とを制御して画像表示を行う液晶ディスプレイパネルに対して、シールド部材を用いることなく、前記蛍光管ケーブルから発生する漏洩電界を防止する非導電性のシートであって、前記蛍光管ケーブルを前記液晶ディスプレイパネルの前記非表示面に接触させる接触部を備えることを特徴とする。
【００１２】
第１発明の漏洩電界防止シートは、非導電性であって、液晶ディスプレイパネルの導電性の非表示面側（裏面側）から延在する蛍光管ケーブルを液晶ディスプレイパネルの導電性の非表示面に接触させる。これにより、液晶ディスプレイパネルの導電性の非表示面にて蛍光管ケーブルのアースをとれるので、従来例のようなシールド部材を用いなくても、簡便に蛍光管ケーブルからの漏洩電界を効率良く防止する。
【００１３】
第２発明の漏洩電界防止シートは、第１発明において、前記接触部は、前記蛍光管ケーブルを挟み込む切欠き部であることを特徴とする。
【００１４】
第２発明の漏洩電界防止シートにあっては、液晶ディスプレイパネルの導電性の非表示面側（裏面側）から延在する蛍光管ケーブルを、その切欠き部で挟み込む。よって確実に蛍光管ケーブルを液晶ディスプレイパネルの導電性の非表示面に接触させる。
【００１５】
第３発明の液晶ディスプレイユニットは、１または複数の蛍光管を有する液晶ディスプレイパネルと、前記蛍光管へ電力を供給するための蛍光管ケーブルと、第１または第２発明の漏洩電界防止シートと、前記蛍光管ケーブルに接続されるインバータプリント板とを備えることを特徴とする。
【００１６】
第３発明の液晶ディスプレイユニットは、上述した第１または第２発明の漏洩電界防止シートを用いて蛍光管ケーブルからの漏洩電界を防止しており、従来例のようなシールド部材が不要となり、その厚さが薄くなると共にそのコストも低減される。
【００１７】
第４発明の液晶ディスプレイ装置は、液晶駆動による画像表示を行う液晶ディスプレイ装置において、第３発明の液晶ディスプレイユニットを備えることを特徴とする。
【００１８】
第４発明の液晶ディスプレイ装置は、蛍光管ケーブルからの漏洩電界を簡便に防止する上述した第３発明の液晶ディスプレイユニットを備えており、従来例のようなシールド部材が不要となり、その厚さが薄くなると共にそのコストも低減される。
【００１９】
【発明の実施の形態】
以下、本発明をその実施の形態を示す図面を参照して具体的に説明する。
図１及び図２は、漏洩電界の防止対策を施した本発明の液晶ディスプレイユニットの分解斜視図及び側面図である。本発明の液晶ディスプレイユニットは、液晶ディスプレイパネル１，漏洩電界防止シート２及びインバータプリント板３をこの順に重畳させた構成をなしている。
【００２０】
図３（ａ），（ｂ）は、液晶ディスプレイパネル１の内部構成図，正面図である。なお、図３では、液晶ディスプレイパネル１の発光に関する光学的部材のみを図示しており、画像表示に関する液晶物質，共通電極，画素電極，偏光板などの部材の図示は省略している。液晶ディスプレイパネル１は、表示面側（表面側）のガラス板１ａと非表示面側（裏面側）の導電性板１ｂと側面側のプラスチック板１ｃとを有する偏平筐体状をなしている。
【００２１】
液晶ディスプレイパネル１内の上下縁部夫々には蛍光管１ｄが設置され、これらの２本の蛍光管１ｄの間には導光板１ｅが設けられ、導光板１ｅを挟んで反射板１ｆ及び拡散シート１ｇが配設されている。このような構成により、蛍光管１ｄの発光によって出射された光は、導光板１ｅを進んで反射板１ｆにて反射されて液晶ディスプレイパネル１の表示面側（ガラス板１ａ側）に指向され、拡散シート１ｇにて輝度が高められて、ガラス板１ａを介して液晶ディスプレイパネル１の前面側に放射されるようになっている。
【００２２】
各蛍光管１ｄへ高電圧を夫々供給するための複数の細線からなる２束の蛍光管ケーブル４が、蛍光管１ｃに接続されており、その蛍光管ケーブル４は液晶ディスプレイパネル１の側面（プラスチック板１ｃ）を貫通して非表示面側（導電性板１ｂ側）に延在している。また、液晶ディスプレイパネル１には２箇所の取り付け用のネジ穴１ｈが形成されている。また、漏洩電界防止シート２の切欠き部２ａに対向する部分の液晶ディスプレイパネル１の非表示面（導電性板１ｂ）は少し盛り上がっており、この部分では漏洩電界防止シート２を液晶ディスプレイパネル１に取り付けた際に両者の間に空隙が生じて、その空隙に蛍光管ケーブル４の中途部が存在してその中途部が液晶ディスプレイパネル１の非表示面（導電性板１ｂ）に接触するようになっている。
【００２３】
漏洩電界防止シート２は、絶縁性のプラスチック製であり、その上下縁部夫々に、液晶ディスプレイパネル１の非表示面側（導電性板１ｂ側）に延在する蛍光管ケーブル４の複数の細線を束ねて挾む２箇所の切欠き部２ａが形成されている。そして、この切欠き部２ａで蛍光管ケーブル４を挾み込むことにより、蛍光管ケーブル４の中途部が液晶ディスプレイパネル１の非表示面（導電性板１ｂ）に接触する。また、漏洩電界防止シート２には、ネジ穴１ｇに対応する２箇所のネジ穴２ｂが形成されている。なお、この漏洩電界防止シート２は、蛍光管ケーブル４を液晶ディスプレイパネル１の非表示面（導電性板１ｂ）に接触させる機能を有してさえおれば、任意の形状であって良い。
【００２４】
インバータプリント板３には、入力される直流の低電圧（例えば１６Ｖ）を交流の高電圧（例えば１５００Ｖ）に変換するためのインバータ回路がプリントされている。また、インバータプリント板３には、各蛍光管ケーブル４が夫々接続される高電圧出力部としての２個の接続部３ａが設けられている。更に、インバータプリント板３には、ネジ穴１ｇ及びネジ穴２ｂに対応する２箇所のネジ穴３ｂが形成されている。
【００２５】
本発明の液晶ディスプレイユニットは、次のようにして一体化される。蛍光管ケーブル４の中途部を漏洩電界防止シート２の切欠き部２ａで挟み込んで、その中途部を液晶ディスプレイパネル１の導電性の非表示面（導電性板１ｂ）に接触させる。また、蛍光管ケーブル４の先端（コネクタ）をインバータプリント板３の接続部３ａに接続する。そして、ネジ穴３ｂ，ネジ穴２ｂ及びネジ穴１ｇにネジ５を挿入して、ネジ５を液晶ディスプレイパネル１にねじ込むことによって漏洩電界防止シート２及びインバータプリント板３を液晶ディスプレイパネル１に取り付け固定する。
【００２６】
このような本発明の液晶ディスプレイユニットにあっては、蛍光管ケーブル４の中途部を漏洩電界防止シート２の切欠き部２ａで挟み込み、その中途部を液晶ディスプレイパネル１の導電性の非表示面（導電性板１ｂ）に接触させるように構成しているので、その接触部分でアースがとれて、蛍光管ケーブル４から発生する低周波の漏洩電界を防止できる。
【００２７】
本発明の液晶ディスプレイユニットでは、極薄の漏洩電界防止シート２を用いて漏洩電界を防止する構成としているため、従来例のようにシールド材を設ける必要がなくなり、従来例に比して厚さを大幅に低減できる。また、従来例のような高価なシールド材を用いずに安価な漏洩電界防止シート２を用いるため、従来例に比して低コスト化を実現できる。
【００２８】
本発明の液晶ディスプレイ装置は、上述したような構成を有する本発明の液晶ディスプレイユニットを備え、表示すべき画像データを入力する入力ケーブル，画像データに応じて液晶を駆動するためのドライバ回路などを更に取り付けて構成される。そして、液晶ディスプレイ装置では、液晶ディスプレイユニットがこれらの他の部材と共に、プラスチック性のカバー内に収納される。ここで、本発明の液晶ディスプレイ装置は、前述したように従来例と比べて厚さが薄くて安価である液晶ディスプレイユニットを使用するため、薄厚化及び低コスト化の実現を図ることがが可能である。
【００２９】
次に、漏洩電界防止シートを利用した本発明の液晶ディスプレイ装置における漏洩電界防止効果の実験結果について説明する。上述したような漏洩電界防止シートを用いずに、液晶ディスプレイパネルの非表示面側（裏面側）から延在された蛍光管ケーブルを単にインバータプリント板に接続させた比較例としての液晶ディスプレイ装置と、上述したような漏洩電界防止シートを用いた本発明例としての液晶ディスプレイ装置とに対して、低周波の漏洩電界を測定した。なお、測定処理は、ＪＥＩＴＡの規格に基づいて行った。
【００３０】
電界ＶＬＦを測定した結果、比較例では１０．７５Ｖ／ｍであってＪＥＩＴＡの規格値（１０Ｖ／ｍ）を超えていたが、本発明例では５．９４Ｖ／ｍであってＪＥＩＴＡの規格値（１０Ｖ／ｍ）内であった。この結果、極薄で安価な漏洩電界防止シートを用いても、蛍光管ケーブルから発生する低周波の漏洩電界を効率良く防止できていることが分かる。
【００３１】
【発明の効果】
以上のように、本発明の漏洩電界防止シートでは、液晶ディスプレイパネルの導電性の非表示面側（裏面側）から延在する蛍光管ケーブルを液晶ディスプレイパネルの導電性の非表示面に接触させるようにしたので、液晶ディスプレイパネルの導電性の非表示面にて蛍光管ケーブルのアースをとれるので、従来例のようなシールド部材を用いなくても、蛍光管ケーブルからの漏洩電界を簡便に防止することができる。この際、漏洩電界防止シートに形成した切欠き部にて、蛍光管ケーブルを挟み込むようにした場合には、液晶ディスプレイパネルの導電性の非表示面への接触を確実に行うことができる。
【００３２】
本発明の液晶ディスプレイユニットでは、極薄で安価な漏洩電界防止シートを用いて蛍光管ケーブルからの漏洩電界を防止しており、従来例のようなシールド部材が不要となり、その厚さを薄くできると共にそのコストを低減することができる。
【００３３】
本発明の液晶ディスプレイ装置では、蛍光管ケーブルからの漏洩電界を簡便に防止する液晶ディスプレイユニットを備えており、従来例のようなシールド部材が不要となり、その厚さを薄くできると共にそのコストを低減することができる。
【図面の簡単な説明】
【図１】本発明の液晶ディスプレイユニットの分解斜視図である。
【図２】本発明の液晶ディスプレイユニットの側面図である。
【図３】液晶ディスプレイパネルの内部構成図及び正面図である。
【図４】従来の液晶ディスプレイユニットの分解斜視図である。
【図５】従来の液晶ディスプレイユニットの側面図である。
【符号の説明】
１  液晶ディスプレイパネル
１ｂ  導電性板（非表示面）
１ｄ  蛍光管
２  漏洩電界防止シート
２ａ  切欠き部
３  インバータプリント板
４  蛍光管ケーブル
【図１】
0003942438.tif 000002
【図２】
0003942438.tif 000003
【図３】
0003942438.tif 000004
【図４】
0003942438.tif 000005
【図５】
0003942438.tif 000006